(57)【要約】      （修正有）【課題】ゴルフのパッティングの際に、カップまでの距離とそれに適したパターのテークバック量が読取れる距離計測機能付パターにおいて、印刷技術を駆使してグラフィック化されたカラフルな目盛を、いかなるグリップ形状でも付けられる距離計測機能付きパターのグリップを提供する。【解決手段】グリップの少なくとも１ケ所以上に段差一定の窪んだ任意形状の平坦部を設け、その窪んだ平坦部を埋めるように段差と同等の厚みを持ったシート状の別部材を貼り合せる構造にして、シート状別部材の少なくとも１つの表面に、目盛が表示されている事を特徴とする。【選択図】図４
0003153118.tif 000002
【実用新案登録請求の範囲】
【請求項１】
グリップ終端部もしくはその周辺に設けた貫通穴を基準に、シャフト部にかけて或る間隔毎に目盛りを設けた距離計測機能付きパターのグリップにおいて、
前記グリップの少なくとも１ケ所以上に段差一定の窪んだ任意形状の平坦部を設け、その窪んだ平坦部を埋めるように前記段差と同等の厚みを持ったシート状の別部材を貼り合せる構造にして、前記シート状別部材の少なくとも１つの表面に、前述の距離計測用目盛が表示されている事を特徴とした、距離計測機能付きパターのグリップ。
【請求項２】
グリップ成型用金型の分割面はパターヘッド打面と平行で、かつ親指を乗せるグリップ上面と他の指が掛かる下面の中央線上に設け、成型後に少なくとも親指を乗せる前記分割線とその周辺部は、シート状の別部材を貼り合せる事で平坦な面にする事を特徴とした、請求項１記載の距離計測機能付きパターのグリップ。
【請求項３】
グリップ成型で出来る分割線を中心に広くグリップ表面を覆う２枚のシート状の別部材で、成型したグリップを上下からサンドイッチ状に貼り合せ、グリップを持つ手の接触面積の多くが前記シート状の別部材で占められる事を特徴とした、請求項２記載の距離計測機能付きパターのグリップ。
【請求項４】
グリップ成型用金型の分割面はパターヘッド打面と垂直で、かつグリップを持つ掌のほぼ中央付近に設け、成型後に目盛表示エリアにシート状別部材を１枚と、前記分割線とその周辺を覆うシート状別部材を左右１枚づつ、計３方向から貼り合せた事を特徴とする、請求項１記載の距離計測機能付きパターのグリップ。
【請求項５】
距離計測用目盛を表示した左右対称形のシート状別部材は、中心線上の両端付近に小さい穴をそれぞれ１ケ所設け、グリップに貼り付ける当該窪地にも同一間隔でそれぞれ１ケ所に突起を設け、前記シート状別部材を前記グリップに貼り付ける時に勘合させる事を特徴とした、請求項２記載の距離計測機能付きパターのグリップ。
【請求項６】
任意形状のシート状別部材の表面にはグラフィックデザインを少なくとも１色以上で印刷した事を特徴とする、請求項１記載の距離計測機能付きパターのグリップ。
【考案の詳細な説明】
【技術分野】
【０００１】        本考案はゴルフのパッティングの際に、カップまでの距離とそれに適したパターのテークバック量が読取れる距離計測機能付パターにおいて、印刷技術を駆使してグラフィック化されたカラフルな目盛を、いかなるグリップ形状でも付けられる手段を提供するものである。
【背景技術】
【０００２】        近年のパターグリップはカラフルにデザインされた物が多く世の中に提供され始めている。その多くは実願２００２−３４、特願２００３−３２５６０６、特願２００４−３３２２６８、特願２００７−５０２１２７、特願２００６−９１３７５  等で公開されている様に、シャフトに装着するグリップのコアとなるスリーブと、そのスリーブ表面を全面に亘って１枚のシートで巻き付ける方法が採られている。このシートは強度確保と衝撃吸収、手の吸着感を出す為に多層構造にする事が多く、最上層は複数枚の切り張りであっても、スリーブに貼り付ける最下層のシートは１枚構成にしている。最上層のシートには印刷技術を使ってカラフルなデザインが施されている。
グリーン上のボールからカップまでの距離を転がすに必要なテークバック量を計測する手段は、特願２００５−５０４５０４で詳細に述べているので、ここでは省略する。
【考案の開示】
【考案が解決しようとする課題】
【０００３】        グリップ形状のコアとなるスリーブに一枚のシートをムラなく巻きつける為には、スリーブの形状を円錐形状にするか、もしくはこれに近い形状にしてシートの部分的伸び量の変化で均一に巻く方法が採られている。
しかし距離計測用目盛の精度は比較的高く要求されるため、シートの伸びを積極的に活用することが出来ないにも係わらず、パターを持つ手のフィット感を高めるためには、グリップ形状は曲線を多用した形が要求される。
【課題を解決するための手段】
【０００４】        本考案はグリップのスリーブに巻き付けるシートを複数枚に分割して、各シートは部分的伸びによる歪を内在させる事無く均一に貼れる形状とする。これらのシートがスリーブ表面にはめ込む為には、スリーブ自体にシート厚み分の段差を設けて成型する。
【考案の効果】
【０００５】        一般的なグリップ方式でパッティングの姿勢に入り、グリップを無理なく自然に掴むための最良の形状はガンタイプである。このタイプはグリップ後方が曲っており、１枚のシートを均一に貼るのは難しく、グリップ形状を直線に近づけて特長を犠牲にするケースが多かった。
本考案は理想のグリップ形状にして、グラフィックでカラフルに印刷した目盛をパターグリップに表示する事が出来る。またスリーブを成形する際に生じる分割面の表面粗さは、シートを貼り付ける事で平坦にする事も出来る。
更にはスリーブ材と違った組成のシート材を広い面積で貼り合せて行くと、グリップを持つ感触は多種多様に展開できる。
【考案を実施するための最良の形態】
【０００６】        図１は傾斜角θを持ったグリーン上に立って、ボール位置ＢからカップＣまでの距離Ｘを基に、最適なテークバック量をグリップＡの目盛Ｙで読み取る原理を示している。
図２は傾斜したグリーン上で振り子半経Ｒでパッティングをする場合、振り角βのテークバックによって生まれたパター先端の等価重量Ｍの位置エネルギーは、一部が打ったボールｍの運動エネルギーに変換され、そのエネルギーは芝の抵抗μによる摩擦熱とグリーン傾斜角θによる位置エネルギー等に消失する。詳しくは特願２００５−５０４５０４に記載してあるのでここでは省略する。
図３は本考案の基本となるもので、一般に持ちやすいと言われるガンタイプのグリップ１を横から見た形状を示している。シャフト２を挿入してグリップ１を装着するが、距離計測用目盛は図中上側の目盛エリア３に表示される。この目盛エリア３には目盛を印刷したシート状別部材４を貼り合せており、シート厚みｔを２点鎖線で表している。シートを貼る前のグリップのコアをスリーブ５と称し、シート材を貼るエリアには初めから厚み分の段差を設けて成型する。本図は金型の分割面６は上下の稜線に現れる形態を取っているため、グリップ下側にもシート状別部材７を貼っている。
【実施例１】
【０００７】        図４は本考案を示す外観図であり、シートを貼る前のスリーブ５、金型のカット面６は図３と同じである。目盛を印刷したシート状別部材４の両端にはそれぞれ穴８−ａ、８−ｂがある。他方スリーブ５にも同様の位置に突起９−ａ、９−ｂを設け、シート貼り合せの時に目盛位置が正規位置からずれないようにしている。
【実施例２】
【０００８】        図５は本考案の応用例を示すもので、金型のカット面をスリーブ５に対し図中水平方向にした場合である。成型後のスリーブには側面に分割線が現れる為、左右方向から右手側面シート１０、左手側面シート１１を貼るものである。
【図面の簡単な説明】
【０００９】
【図１】傾斜を持ったグリーン上での距離計測法を示す原理図
【図２】パッティングの振り子理論  テークバック量とボールの転がり量の関係を示す図
【図３】本考案のシート厚み分の段差を設けたスリーブに、シート状別部材を貼り合せる構造を示す図
【図４】本考案の実施例、弾性を持ったスリーブを成形する金型のカット面に対する、シート状別部材を貼り合せる関係を示す図。目盛付きシートの位置合わせ用に、シート側に穴とスリーブ側に突起がある。
【図５】本考案の応用例、スリーブの金型分割面が図中水平方向になった場合のシート貼り合せ方法を示す。
【符号の説明】
【００１０】１．  グリップ
２．  シャフト
３．  目盛表示エリア
４．  目盛付シート状別部材
５．  シートを貼る前のスリーブ
６．  スリーブ成型に必要な金型のカット面
７．  スリーブの成型後に出来る分割線を覆うシート状別部材
８．  目盛付シートに設けた穴
９．  スリーブに設けた突起
１０．分割線を覆う右手側面シート
１１．分割線を覆う左手側面シート
Ａ    距離計測時のパターグリップ
Ｂ    グリーン上のボール位置
Ｃ    グリーン上のカップ位置
Ｒ    振り子式パッティングの半経（首付け根支点からパターヘッドまで）
Ｍ    パター先端の等価重量（パター重量、腕重量の複合）
ｍ    ボールの重量
μ    芝の転がり抵抗係数
θ    グリーンの傾斜角
Ｘ    パッティングした時のボールの転がる距離
Ｙ    グリップの目盛り基準位置から目線交差位置までの距離
ｔ    シート状別部材をスリーブに貼るために設けた段差
【図１】
0003153118.tif 000003
【図２】
0003153118.tif 000004
【図３】
0003153118.tif 000005
【図４】
0003153118.tif 000006
【図５】
0003153118.tif 000007
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
グリップ終端部もしくはその周辺に設けた貫通穴を基準に、シャフト部にかけて或る間隔毎に目盛を設けた距離計測機能付きパターのグリップにおいて、
前記グリップの少なくとも１ケ所以上に段差一定の窪んだ任意形状の平坦部を設け、その窪んだ平坦部を埋めるように前記段差と同等の厚みを持ったシート状の別部材を貼り合せる構造にして、前記シート状別部材の少なくとも１つの表面に、前述の目盛が表示されている事を特徴とした、距離計測機能付きパターのグリップ。
【請求項２】
グリップ成型用金型の分割面はパターヘッド打面と平行で、かつ親指を乗せるグリップ上面と他の指が掛かる下面の中央部に設け、成型後に前記分割面で生成される分割線の内、少なくとも親指を乗せる所の前記分割線とその周辺部は、シート状の別部材を貼り合せる事で平坦な面にする事を特徴とした、請求項１記載の距離計測機能付きパターのグリップ。
【請求項３】
グリップ成型で出来る分割線を中心に広くグリップ表面を覆う２枚のシート状の別部材で、成型したグリップを上下からサンドイッチ状に貼り合せ、グリップを持つ手の接触面積の多くが前記シート状の別部材で占められる事を特徴とした、請求項２記載の距離計測機能付きパターのグリップ。
【請求項４】
グリップ成型用金型の分割面はパターヘッド打面と垂直で、かつグリップを持つ掌のほぼ中央付近に設け、成型後に目盛表示エリアにシート状別部材を１枚と、前記分割面で生成された分割線とその周辺を覆うシート状別部材を左右１枚づつ、計３方向から貼り合せた事を特徴とする、請求項１記載の距離計測機能付きパターのグリップ。
【請求項５】
距離計測用の目盛を表示した左右対称形のシート状別部材は、中心線上の両端付近に小さい穴をそれぞれ１ケ所設け、グリップに貼り付ける当該窪地にも同一間隔でそれぞれ１ケ所に突起を設け、前記シート状別部材を前記グリップに貼り付ける時に勘合させる事を特徴とした、請求項２記載の距離計測機能付きパターのグリップ。
【請求項６】
任意形状のシート状別部材の表面にはグラフィックデザインを少なくとも１色以上で印刷した事を特徴とする、請求項１記載の距離計測機能付きパターのグリップ。